(57)【要約】【課題】既製の車両に架装を施すことに伴う多大な改造費用及び届出負担を回避し、開放的で簡便に使用できる移動ボックスを提供する。【解決手段】トラック２の荷台２１に積載物として積載することができる移動ボックス１であって、内部空間を隔てて前後に対向する前壁１１及び後壁１２と、内部空間を隔てて左右に対向する側壁１３、１４と、一方側の側壁１３と一体化し他方側を中心に跳ね上がるように回動することが可能であり、内部空間に覆い被さる閉止位置と起立して内部空間を露出させる開放位置とを選択的にとり得る頂壁１５と、前壁１１と開放位置をとる頂壁１５または一方側の側壁１３との間に介在し、開放位置をとる一方側の側壁１３の前縁部の枠材１３１の後向面１３１１に当接若しくは近接し、頂壁１５及び一方側の側壁１３を当該開放位置に維持する支持体１６２とを具備する移動ボックス１を構成した。【選択図】図４
2020104527.tif 000002
【特許請求の範囲】
【請求項１】
トラックの荷台に積載物として積載することができる移動ボックスであって、
内部空間を隔てて前後に対向する前壁及び後壁と、
内部空間を隔てて左右に対向する側壁と、
一方側の側壁と一体化し他方側を中心に跳ね上がるように回動することが可能であり、内部空間に覆い被さる閉止位置と起立して内部空間を露出させる開放位置とを選択的にとり得る頂壁と、
前壁と開放位置をとる頂壁または一方側の側壁との間に介在し、開放位置をとる一方側の側壁の前縁部の枠材の後向面に当接若しくは近接し、頂壁及び一方側の側壁を当該開放位置に維持する支持体と
を具備する移動ボックス。
【請求項２】
前記頂壁及び前記一方側の側壁が閉止位置をとるときに当該側壁よりも内側方に退避し、頂壁及び一方側の側壁が開放位置をとるときにより外側方に迫り出すように変位してカウンタとして機能する可動の天板を具備し、
前記後壁に、内部空間に対して人が出入りできるような出入口及び当該出入口を開閉する扉を設けている請求項１記載の移動ボックス。
【発明の詳細な説明】
【技術分野】
【０００１】
本発明は、移動販売店舗等を構築するために用いることができる移動ボックスに関する。
【背景技術】
【０００２】
フードトラックに代表される、移動販売店舗として使用可能な車両が公知である（例えば、下記特許文献を参照）。この種の移動販売用の車両は、店舗に必要な設備を車体に架装したものである。
【０００３】
車体に改造を加える架装には、少なからぬ費用を要する。その上、架装は法令上車両の構造変更に該当し、架装後にその車両を所轄の運輸支局または軽自動車検査協会に持ち込んで検査を受けることも必須となる。また、いわゆる軽トラック、即ち軽自動車区分に該当する小型のトラックをベースに移動販売店舗用の車両を製作しようとする場合、車両の全高が２０００ｍｍ以下という制限を受け、店舗内で人が立ち上がることが事実上困難となる。
【先行技術文献】
【特許文献】
【０００４】
【特許文献１】特開２００７−０６９６３１号公報
【発明の概要】
【発明が解決しようとする課題】
【０００５】
本発明は、既製の車両に架装を施すことに伴う多大な改造費用及び届出負担を回避し、開放的で簡便に使用可能な移動ボックスを提供しようとするものである。
【課題を解決するための手段】
【０００６】
本発明では、トラックの荷台に積載物として積載することができる移動ボックスであって、内部空間を隔てて前後に対向する前壁及び後壁と、内部空間を隔てて左右に対向する側壁と、一方側の側壁と一体化し他方側を中心に跳ね上がるように回動することが可能であり、内部空間に覆い被さる閉止位置と起立して内部空間を露出させる開放位置とを選択的にとり得る頂壁と、前壁と開放位置をとる頂壁または一方側の側壁との間に介在し、開放位置をとる一方側の側壁の前縁部の枠材の後向面に当接若しくは近接し、頂壁及び一方側の側壁を当該開放位置に維持する支持体とを具備する移動ボックスを構成した。
【０００７】
移動販売店舗等としての利便性をより一層高めるためには、前記頂壁及び前記一方側の側壁が閉止位置をとるときに当該側壁よりも内側方に退避し、頂壁及び一方側の側壁が開放位置をとるときにより外側方に迫り出すように変位してカウンタとして機能する可動の天板を具備し、前記後壁に、内部空間に対して人が出入りできるような出入口及び当該出入口を開閉する扉を設けているものとすることが好ましい。
【発明の効果】
【０００８】
既製の車両に架装を施すことに伴う多大な改造費用及び届出負担を回避し、開放的で簡便に使用可能な移動ボックスを実現できる。
【図面の簡単な説明】
【０００９】
【図１】本発明の一実施形態の移動ボックスをトラックの荷台に積載した状態を示す図。
【図２】同実施形態の移動ボックスの頂壁及び一方側の側壁を跳ね上げた状態を示す図。
【図３】同実施形態の移動ボックスのカウンタ及びサブカウンタを設置した状態を示す図。
【図４】同実施形態の移動ボックスの扉を開けて出入口を開通させた状態を示す図。
【図５】同実施形態の移動ボックスをトラックの荷台から降ろした状態を示す図。
【図６】同実施形態の移動ボックスを他の什器とともに設営した状態を示す図。
【図７】同実施形態の移動ボックス内に他の什器を収納した状態を示す図。
【発明を実施するための形態】
【００１０】
本発明の一実施形態を、図面を参照して説明する。図１に示すように、本移動ボックス１は、既製のトラック２に特段の改装を施すことなしに、トラック２の荷台２１に積載物として積載して運搬することができる。しかも、図２ないし図４に示すように、トラック２の荷台２１に積載したままで、例えば移動販売店舗等の躯体として簡便に使用できるものとなっている。
【００１１】
本移動ボックス１は、内部空間を隔てて前後に対向する前壁１１及び後壁１２、内部空間を隔てて左右に対向する左側壁１３及び右側壁１４、並びに内部空間を隔てて上下に対向する頂壁１５及び底壁が、内部空間を包囲する筐体状の外形をなすものである。なお、移動ボックス１の底、換言すれば移動ボックス１を利用した移動販売店舗等の床となる底壁は、図１ないし図７に表れない。
【００１２】
前壁１１は底壁の前縁部から直立し、後壁１２は底壁の後縁部から直立し、右側壁１４は底壁の右側縁部から直立しており、それぞれが内部空間の前方、後方、右側方を遮蔽する。具体的には、底壁の四隅に、鉛直方向に伸長し断面が略Ｌ字形をなす支柱１１１、１２１を設立し、移動ボックス１の前側で左右に並立する支柱１１１間の空隙を閉塞するように拡張した面板１１２を当該支柱１１１に取り付けて支持させることで前壁１１を形成する。並びに、移動ボックス１の後ろ側で左右に並立する支柱１２１間の空隙を閉塞するように拡張した面板１２２を当該支柱１２１に取り付けて支持させることで後壁１２を形成する。さらに、移動ボックス１の右側で前後に並立する支柱１１１、１２１間の空隙を閉塞するように拡張した面板１４１を当該支柱１１１、１２１に取り付けて支持させることで、右側壁１４を形成する。
【００１３】
左側壁１３は、底壁、前壁１１及び後壁１２から分離独立しており、頂壁１５の左側縁部から垂下している。左側壁１３は、頂壁１５と一体化している。具体的には、頂壁１５の左側の隅に、鉛直方向に伸長し断面が略Ｌ字形をなす枠材１３１を固定し、前後に並立する枠材１３１間の空隙を閉塞するように拡張した面板１３２を当該枠材１３１に取り付けて支持させることで、左側壁１３を形成する。頂壁１５は、四方の桟の断面が略Ｌ字形をなす四方枠１５１に、その内空を閉塞するように拡張した面板１５２を取り付けて支持させることで形成する。左側壁１３の枠材１３１と頂壁１５の四方枠１５１とは直交しており、これらが左側壁１３及び頂壁１５の剛性を補強している。
【００１４】
頂壁１５は、その右側縁部がヒンジを介して右側壁１４の上縁部に連結しており、右側縁部を中心として水平軸回りに回動することが可能となっている。上述の通り、頂壁１５と左側壁１３とは互いに直交するように一体化しており、頂壁１５が回動するとき、左側壁１３もまた頂壁１５とともに一体となって回動する。そして、頂壁１５及び左側壁１３は、図１及び図５に示すように内部空間に覆い被さってこれを隠蔽する閉止位置と、図２ないし図４及び図６に示すように跳ね上がって内部空間を露出させる開放位置とを選択的にとることができる。閉止位置にある頂壁１５及び左側壁１３はそれぞれ、内部空間の上方及び左側方を遮蔽する。
【００１５】
頂壁１５及び左側壁１３を閉止位置から開放位置に変位させると、内部空間の直上で水平であった頂壁１５が垂直または垂直に近い傾斜姿勢まで起立し、内部空間の右上方に退避する。同時に、内部空間の左側方で直立していた左側壁１３が内部空間を越えて高位置に浮上し、かつ内部空間の上方で水平または水平に近い姿勢をとる。この左側壁１３はちょうど、移動ボックス１を利用した移動販売店舗等の屋根または庇の役割を担う。開放位置における左側壁１３の高さは、閉止位置における頂壁１５の高さを大きく上回る。従って、図４に示しているように、本移動ボックス１を移動販売店舗等として利用する際に、当該店舗等の内部に人４が立って入ることが容易になる。
【００１６】
頂壁１５及び左側壁１３を閉止位置とした移動ボックス１の前後方向及び左右方向の外法はそれぞれ、既製のトラック２の荷台２１の前後方向及び左右方向の内法に収まる。また、頂壁１５及び左側壁１３を閉止位置とした移動ボックス１の高さ寸法は、トラック２の荷台２１に積載して運搬するために法令即ち道路交通法による規制の範囲内にあるように設定する。例えば、軽トラック２であれば、道路上での運転時の積載物の上縁の高さ位置が路面から２５００ｍｍを超えてはいけない。移動ボックス１を載置するトラック２の荷台２１の床面の高さが路面から６６０ｍｍであるとするならば、頂壁１５及び左側壁１３を閉止位置とした移動ボックス１の高さ寸法は１８４０ｍｍ以下である必要がある。一方で、運転時以外であれば、トラック２の荷台２１に積載した移動ボックス１の上縁の高さ位置が一時的に２５００ｍｍを超えることも許容され得る。
【００１７】
移動販売店舗等を設営する場所に向かうまでは、図１に示すように移動ボックス１の頂壁１５及び左側壁１３を閉止位置とした状態で、トラック２を運転し移動ボックス１を運搬する。そして、移動販売店舗等を設営する場所に到着し、トラック２の運転を終了して駐車した後、図２に示すように荷台２１の側あおり２１１を開いて下に落とし、頂壁１５及び左側壁１３を閉止位置から開放位置へと変位させるべく跳ね上げる。
【００１８】
本移動ボックス１は、開放位置とした頂壁１５及び左側壁１３を当該開放位置に保定する支持体１６１、１６２を具備する。支持体１６１、１６２は、移動ボックス１の前壁１１と、開放位置をとる頂壁１５または左側壁１３との間に介在して、それら頂壁１５及び左側壁１３を支持する。図２に示すように、支持体の一である支棒１６１は、その一端が前壁１１に係合し、その他端が頂壁１５または左側壁１３に係合するものである。このような支棒１６１に代わる支持体として、伸縮可能なガススプリング（ガスシリンダ、ガスストラット、ダンパ）を設けることも考えられる。ガススプリングの一旦は前壁１１に揺動可能に連結し、他端は頂壁１５または左側壁１３に揺動可能に連結する。ガススプリングは、頂壁１５及び左側壁１３を閉止位置から開放位置に持ち上げる操作に必要な力を軽減する働きもする。
【００１９】
他の支持体として、本移動ボックス１は、支持板１６２を有している。支持板１６２は、その前縁部がヒンジを介して前壁１１の上縁部に連結しており、前縁部を中心として水平軸回りに回動することが可能となっている。支持板１６２は、図２に示すように前壁１１よりも後方に収まるように倒伏した姿勢から、図３及び図４に示すように前壁１１の直上に起立する姿勢まで変位させることができる。起立した支持板１６２の上縁部は、開放位置にある左側壁１３の前枠材１３１の後方を向いた内面１３１１に当接若しくは近接し、及び／または、同左側壁１３の前枠材１３１若しくは面板１３２の下方を向いた内面１３２１に当接若しくは近接する。並びに、起立した支持板１６２の右側縁部は、開放位置にある頂壁１５の四方枠１５１の後方を向いた内面１５１１に当接若しくは近接し、及び／または、同頂壁１５の四方枠１５１若しくは面板１５２の内側方を向いた内面１５２１に当接若しくは近接する。これら支持板１６２、頂壁１５及び左側壁１３が、互いに直交する三面の構造体となることで、開放位置をとる頂壁１５及び左側壁１３を安定的に支える剛性が確保される。起立した支持板１６２と、開放位置をとる頂壁１５または左側壁１３とは、掛金、閂、リベット、ボルト、その他の既知のロック装置等を介して互いに相対変位不能に結合することが好ましい。
【００２０】
上記の支持体１６１、１６２は、頂壁１５及び左側壁１３が閉止位置をとるときには、移動ボックス１の内部空間に収容され、前壁１１、後壁１２、側壁１３、１４及び頂壁１５により隠蔽される。なお、支持体として、支棒１６１またはガススプリングと支持板１６２とを両備することは必須でなく、少なくとも何れか一方を備えればよい。
【００２１】
本移動ボックス１の後方には、支持体１６１、１６２は存在しない。よって、図３及び図４に示すように、頂壁１５及び左側壁１３を開放位置としたとき、移動ボックス１の内部空間が左側方及び後方に開放して連通する。
【００２２】
移動ボックス１の左側方における、前後の支柱１１１、１２１の間には、幕板１７を配設している。幕板１７の上縁は、支柱１１１、１２１の上端よりも低位置にある。この幕板１７には、カウンタとして機能する天板１８を付設している。天板１８は、ヒンジを介して幕板１７または前後の支柱１１１、１２１に連結しており、前後に延びる水平軸回りに回動することが可能である。この天板１８は、図２に示すように垂直に吊り下がる姿勢から、図３及び図４に示すように水平に持ち上がる姿勢まで変位させることができる。垂直に吊り下がる姿勢とした天板１８は、閉止位置をとる左側壁１３よりも内側方に退避し、前壁１１、後壁１２、側壁１３、１４及び頂壁１５により隠蔽される。翻って、水平に持ち上げた姿勢とした天板１８は、その外側縁部が幕板１７よりも外側方に迫り出す。水平姿勢をとる天板１８は、棚受１７１により下方から支持させる。棚受１７１は、幕板１７の外側面に取り付ける。
【００２３】
加えて、後壁１２に、サブカウンタとして機能する補助天板１９を付設している。補助天板１９は、ヒンジを介して後壁１２の面板１２２または左右の支柱１２１に連結しており、左右に延びる水平軸回りに回動することが可能である。補助天板１９は、図２に示すように後壁１２よりも前方に収まるように倒伏した姿勢から、図３及び図４に示すように後壁１２の上縁部に載置されて水平となる姿勢まで変位させることができる。倒伏する姿勢とした補助天板１９は、移動ボックス１の内部空間に収容され、前壁１１、後壁１２、側壁１３、１４及び頂壁１５により隠蔽される。翻って、水平な姿勢とした補助天板１９は、その後縁部が後壁１２よりも後方に迫り出す。
【００２４】
図４に示しているように、後壁１２には、本移動ボックス１が具現する移動販売店舗等の内部空間に対して人４が出入りできるような出入口１２３を開設している。出入口１２３には、これを開閉する扉１２２を設けている。図示例における扉１２２は、後壁１２の面板をヒンジを介して垂直軸回りに回動可能に支柱に連結したものである。扉１２２を開ける際には、図４に示すように荷台２１の後ろあおり２１２を開いて下に落とす。図３に示すように後ろあおり２１２を閉じておけば、扉１２２の開閉を抑制することができる。
【００２５】
本移動ボックス１を構成する各部材は、軽量でありながら必要な剛性、強度、耐候性を有するものとする。例えば、支柱１１１、１２１や枠材１３１、四方枠１５１はアルミ合金製とし、面板１１２、１２２、１３２、１４１、１５２や支持板１６２、天板１８、補助天板１９は軽量な難燃性の発泡材を素材とすることが好ましい。
【００２６】
本移動ボックス１の下部、即ち底壁の下面または支柱１１１、１２１の下端部には、摩擦が大きく滑りにくいゴム脚等を取り付けておくことが好ましい。
【００２７】
図５及び図６に示すように、本移動ボックス１は、トラック２の荷台２１から降ろして使用することもできる。図６は、本移動ボックス１を他の什器３とともに地面の上に設営した例である。図７に示すように、他の什器３を、本移動ボックス１の内部空間に収納することも可能である。
【００２８】
本実施形態では、トラック２の荷台２１に積載物として積載することができる移動ボックス１であって、内部空間を隔てて前後に対向する前壁１１及び後壁１２と、内部空間を隔てて左右に対向する側壁１３、１４と、一方側の側壁１３と一体化し他方側を中心に跳ね上がるように回動することが可能であり、内部空間に覆い被さる閉止位置と起立して内部空間を露出させる開放位置とを選択的にとり得る頂壁１５と、前壁１１と開放位置をとる頂壁１５または一方側の側壁１３との間に介在して当該頂壁１５及び一方側の側壁１３を当該開放位置に維持する支持体１６１、１６２とを具備する移動ボックス１を構成した。特に、支持体たる支持板１６２は、開放位置をとる一方側の側壁１３の前縁部の枠材１３１の後向面１３１１に当接若しくは近接する。
【００２９】
本実施形態によれば、所望の場所に簡便に移動販売店舗等を設営することが可能となる。図３、図４及び図６に示すように、頂壁１５及び一方側の側壁１３を開放位置とすることで、内部空間が側方及び後方に連通し、屋根または庇となる側壁１３が高位置に浮上して、開放的で使い勝手のよい店舗等を具現できる。本移動ボックス１は既製のトラック２の荷台２１に積み卸しできる積載物であるため、トラック２に特段の架装を施す必要はない。
【００３０】
なお、本発明は以上に詳述した実施形態に限られるものではない。各部の具体的な構成は、本発明の趣旨を逸脱しない範囲で種々変形が可能である。
【産業上の利用可能性】
【００３１】
本発明は、移動販売店舗等を構築するための移動ボックス１として利用することができる。
【符号の説明】
【００３２】
１…移動ボックス
１１…前壁
１２…後壁
１２２…扉
１２３…出入口
１３…一方側の側壁
１４…他方側の側壁
１５…頂壁
１６…支持体
１８…天板
２…トラック
２１…荷台
４…人
【図１】
2020104527.tif 000003
【図２】
2020104527.tif 000004
【図３】
2020104527.tif 000005
【図４】
2020104527.tif 000006
【図５】
2020104527.tif 000007
【図６】
2020104527.tif 000008
【図７】
2020104527.tif 000009